(57)【要約】  本発明は、自転車一体型複合機能照明装置に関するものであり、自転車の操向部に分離可能に装着される照明装置の昇下降支持部と、照明装置の昇下降支持部に上、下移動可能に位置される昇下降移動胴体部と、前記昇下降移動胴体部に位置されて光を照射するメイン照明灯部とを含んで照明灯部の高さを調節して運転者が願う位置に照明灯部を位置させることができて使用時満足度と安全性を共に向上させることができる。
2021523856.tif 000002
【特許請求の範囲】
【請求項１】
自転車の操向部に分離可能に装着される照明装置の昇下降支持部と、
前記照明装置の昇下降支持部に上、下移動可能に位置される昇下降移動胴体部と、
前記昇下降移動胴体部に位置されて光を照射するメイン照明灯部とを含むことを特徴とする自転車一体型複合機能照明装置。
【請求項２】
前記照明装置の昇下降支持部は、前記操向部のステムに分離可能に装着される自転車ハンドルステム装着部材と、前記自転車ハンドルステム装着部材に回転可能に位置されて立てられるか、または横たえられて前記昇下降移動胴体部が移動可能に結合されるフレーム部材とを含んで、
前記自転車ハンドルステム装着部材には前記ステムに締結されるステム用装着ボルトが貫通されるメイン装着孔が位置され、
前記メイン装着孔は前記ステム用装着ボルトと等しい直径を有して、カメラ三脚台のカメラ結合ボルトに締結されることができる雌ネジ山タッピングが形成されている締結孔で形成されることを特徴とする請求項１に記載の自転車一体型複合機能照明装置。
【請求項３】
前記昇下降移動胴体部には前記メイン照明灯部に電源を供給する充電池が位置されることを特徴とする請求項１に記載の自転車一体型複合機能照明装置。
【請求項４】
前記昇下降移動胴体部には前記操向部側に光を照射するハンドル照明灯部が具備されることを特徴とする請求項１に記載の自転車一体型複合機能照明装置。
【請求項５】
前記昇下降移動胴体部に分離可能に結合されるブルートゥーススピーカー本体をさらに含むことを特徴とする請求項１に記載の自転車一体型複合機能照明装置。
【請求項６】
前記昇下降移動胴体部には前記メイン照明灯部に電源を供給する充電池が位置され、
前記ブルートゥーススピーカー本体は前記昇下降移動胴体部に結合されて前記充電池と電気的に連結されて前記充電池から電源の供給を受けることを特徴とする請求項５に記載の自転車一体型複合機能照明装置。
【請求項７】
前記ブルートゥーススピーカー本体には出力される音響に応じて発光される音響照明部が位置され、
前記音響照明部は音響に応じてウェーブ形態で光を発光するスペクトラム照明であることを特徴とする請求項５に記載の自転車一体型複合機能照明装置。
【請求項８】
前記昇下降移動胴体部の前面には前記照明装置の昇下降支持部が分離可能に結合される結合部が位置され、前記結合部には上、下方向に前記照明装置の昇下降支持部が移動可能に結合される昇下降移動路が位置され、前面に昇下降移動路に移動される前記照明装置の昇下降支持部の一部分を露出させる開放部が位置され、
前記ブルートゥーススピーカー本体は前記開放部に挿入されて前記昇下降移動胴体部に結合されることを特徴とする請求項５に記載の自転車一体型複合機能照明装置。
【請求項９】
前記開放部の内側面と前記ブルートゥーススピーカー本体の外側面とのうちの何れか一側にはブルートゥース結合用突起部が突き出されるように位置され、前記開放部の内側面と前記ブルートゥーススピーカー本体の外側面とのうちの他の一側には前記ブルートゥース結合用突起部が挿入されて係止されるブルートゥース結合用溝部が位置されることを特徴とする請求項８に記載の自転車一体型複合機能照明装置。
【請求項１０】
前記昇下降移動胴体部に傾くように位置される締結孔に締結されて傾くように位置されながら前記開放部に結合された前記ブルートゥーススピーカー本体の外側面を加圧して前記ブルートゥーススピーカー本体の位置を固定するスピーカー固定ボルトをさらに含むことを特徴とする請求項８に記載の自転車一体型複合機能照明装置。
【請求項１１】
前記ブルートゥーススピーカー本体は外側面にブルートゥース電源供給第１端子が位置され、前記開放部の内側面には前記ブルートゥース電源供給第１端子と接続されて前記昇下降移動胴体部に位置される充電池の電源を前記ブルートゥーススピーカー本体と連結するブルートゥース電源供給第２端子が位置されることを特徴とする請求項８に記載の自転車一体型複合機能照明装置。
【請求項１２】
前記ブルートゥーススピーカー本体には補助照明灯の電源供給端子が位置され、
前記補助照明灯の電源供給端子は前記ブルートゥース電源供給第１端子を通じて前記充電池と連結され、補助照明灯制御リモコンの制御によって前記充電池から補助照明灯部に電源を選択的に供給することを特徴とする請求項１１に記載の自転車一体型複合機能照明装置。
【請求項１３】
前記昇下降移動胴体部に位置される携帯電話据え置き部をさらに含んで、
前記携帯電話据え置き部は携帯電話をかけて支持するように弾性を有する複数の紐部材を含むことを特徴とする請求項１に記載の自転車一体型複合機能照明装置。
【請求項１４】
前記携帯電話据え置き部は、
一端が前記昇下降移動胴体部の上部側に連結され、他端が前記昇下降移動胴体部の一側に連結される第１弾性紐部材と、
一端が前記昇下降移動胴体部の上部側に連結されて他端が前記昇下降移動胴体部の他側に連結される第２弾性紐部材と、
一端が前記昇下降移動胴体部の下部側に連結され、他端が前記昇下降移動胴体部の一側に連結される第３弾性紐部材と、
一端が前記昇下降移動胴体部の下部側に連結されて他端が前記昇下降移動胴体部の他側に連結される第４弾性紐部材と、
前記第３弾性紐部材と第４弾性紐部材の一端部がそれぞれ連結されて前記昇下降移動胴体部に分離可能に結合される携帯電話据え置き用結合部材とを含むことを特徴とする請求項１３に記載の自転車一体型複合機能照明装置。
【請求項１５】
前記昇下降移動胴体部の下部面には前記携帯電話据え置き用結合部材が挿入されて結合される携帯電話据え置きロッキング部材挿入溝が位置され、
前記携帯電話据え置きロッキング部材挿入溝の内側面と前記携帯電話据え置き用結合部材の外側面とのうちの何れか一側には係止突起部が突き出されるように位置され、前記携帯電話据え置きロッキング部材挿入溝の内側面と前記携帯電話据え置き用結合部材の外側面とのうちの他の一側には前記係止突起部が挿入されて係止される係止溝部が位置されることを特徴とする請求項１４に記載の自転車一体型複合機能照明装置。
【請求項１６】
前記携帯電話据え置き部は、
前記昇下降移動胴体部の一側面に回転可能に位置されて前記第１弾性紐部材の他端及び前記第３弾性紐部材の他端がそれぞれ連結される第１携帯電話据え置き用回転アーム部材と、
前記昇下降移動胴体部の他側面に回転可能に位置されて前記第２弾性紐部材の他端及び前記第４弾性紐部材の他端がそれぞれ連結される第２携帯電話据え置き用回転アーム部材とをさらに含むことを特徴とする請求項１５に記載の自転車一体型複合機能照明装置。
【請求項１７】
補助照明灯部または他のアクセサリ装備を装着することができるし、前記昇下降移動胴体部または前記ブルートゥーススピーカー本体に分離可能に結合されるアーム部をさらに含むことを特徴とする請求項５に記載の自転車一体型複合機能照明装置。
【請求項１８】
前記アーム部は前記昇下降移動胴体部または前記ブルートゥーススピーカー本体の側面に第１ヒンジ軸に回転可能に軸結合される第１アーム部材と、前記第１アーム部材に第１ヒンジ軸と異なる方向に位置される第２ヒンジ軸に回転可能に連結される第２アーム部材とを含んで、
前記第２アーム部材は一側で前記第２アーム部材に結合されて補助照明灯部が結合されることができる補助照明灯部ホルダーの一側を支持するホルダーストッパー部が位置され、
前記アーム部は第２アーム部材の他側に位置されて前記補助照明灯部ホルダーの他側を加圧して位置を固定させるホルダー加圧部材と、
前記ホルダー加圧部材を貫通して前記第２アーム部材に締結されるホルダー固定用ボルト部材とをさらに含むことを特徴とする請求項１７に記載の自転車一体型複合機能照明装置。
【請求項１９】
前記第１ヒンジ軸は前記第１アーム部材の一側に突き出されて前記昇下降移動胴体部の側面または前記ブルートゥーススピーカー本体の側面に位置されたボルト締結部に締結されるヒンジ軸ボルトであり、
前記第１アーム部材は内部にヒンジ軸ボルトが位置されて他側に開放されたボルト締結空間が位置され、前記ボルト締結空間は前記第２アーム部材を回転させて開放されることを特徴とする請求項１８に記載の自転車一体型複合機能照明装置。
【請求項２０】
内部に傾く角度を感知することができるジャイロセンサーを具備して自転車の運転者に着用されることができるジャイロセンサー体と、
前記昇下降移動胴体部に位置されて前記ジャイロセンサー体と通信されて前記ジャイロセンサー体で感知された角度変化の伝達を受けて警告音を出力する警告音スピーカー部と、
前記昇下降移動胴体部に位置されて前記ジャイロセンサー体と通信されて前記ジャイロセンサー体で感知された角度変化の伝達を受けて発光する非常ランプ部とをさらに含むことを特徴とする請求項１に記載の自転車一体型複合機能照明装置。
【請求項２１】
前記ジャイロセンサー体はハウジングの長さ方向の一側にかたよるようにジャイロセンサーが位置され、前記ハウジングの外側面にジャイロセンサーが位置された所を表示するセンサー水平位置表示溝部が位置されることを特徴とする請求項２０に記載の自転車一体型複合機能照明装置。
【請求項２２】
前記ジャイロセンサー体が回転及び分離可能に結合されて運転者の指に着用されるための弾性着用バンドが具備されるセンサー着用部材をさらに含んで、
前記センサー着用部材は下部面に指に安着されることができるようにする円弧形状の指安着溝部が位置されることを特徴とする請求項２０に記載の自転車一体型複合機能照明装置。
【請求項２３】
前記ブルートゥーススピーカー本体をテントまたはタープの支持パイプに装着させるためのパイプ据え置き部をさらに含むことを特徴とする請求項５に記載の自転車一体型複合機能照明装置。
【請求項２４】
前記パイプ据え置き部は前記支持パイプの外側面中で一部分を囲む円弧形状のパイプ装着溝部が位置されて前記ブルートゥーススピーカー本体が分離可能に装着されるパイプ据え置き胴体部材と、
前記パイプ据え置き胴体部材の一側面に突き出されて縦方向に離隔されるように位置する第１弾性紐係止部材と、
前記パイプ据え置き胴体部材の他側面に突き出されて縦方向に離隔されるように位置する第２弾性紐係止部材と、
前記第１弾性紐係止部材と前記第２弾性紐係止部材にかけられて前記支持パイプの外側面中で残り部分を囲んで前記パイプ据え置き胴体部材を前記支持パイプに固定させるパイプ固定紐部材とを含むことを特徴とする請求項２３に記載の自転車一体型複合機能照明装置。
【請求項２５】
前記ブルートゥーススピーカー本体を磁力で付着して使用できるようにする畳み式非接触磁性据え置き台をさらに含むことを特徴とする請求項５に記載の自転車一体型複合機能照明装置。
【請求項２６】
前記畳み式非接触磁性据え置き台は、
前記ブルートゥーススピーカー本体に締結されるスピーカー装着ボルトが貫通されるボルト貫通孔が離隔されるように複数に位置されるベース部材と、
前記ベース部材に回転可能に連結される第１回転部材と第２回転部材と、
前記ベース部材、前記第１回転部材、及び前記第２回転部材にそれぞれ位置されて磁石を具備して磁力で付着されることができる磁性付着部材と、
前記磁性付着部材の下部面に突き出されるように位置されて前記磁性付着部材の下部面を付着面と離隔させる弾性材質の弾性支持リング部材とを含むことを特徴とする請求項２５に記載の自転車一体型複合機能照明装置。
【請求項２７】
前記ブルートゥーススピーカー本体には前記補助照明灯制御リモコンからの送信信号を受信して前記補助照明灯部の作動を制御する無線制御受信窓が位置されることを特徴とする請求項１２に記載の自転車一体型複合機能照明装置。
【発明の詳細な説明】
【技術分野】
【０００１】
本発明は、自転車一体型複合機能照明装置に関するものであり、より詳細には、自転車のハンドルに選択的に装着されて夜間走行時視野を確保すると共にブルートゥース（登録商標）スピーカー本体、ジャイロセンサー体などの補助機器を活用することができる自転車一体型複合機能照明装置に関する発明である。本発明は２０１８年５月２４日出願された韓国特許出願第１０-２０１８-００５９０２６号の出願日の利益を主張し、その内容全部は本明細書に含まれる。
【背景技術】
【０００２】
一般に、自転車は移動手段または交通手段で使われることはもちろん、経済的で効率的な運動手段としてたくさん利用されている。
【０００３】
最近になって高油価時代と併せてウェルビーイングブームが起きながら昼間はもちろん夜間に自転車を利用する人口が急速に増加する趨勢であり、これによって自転車の照明装置に対する必要性と併せて自転車生活で実用と便宜を追い求める各種補助的用品らであふれるが、いざ活用性においては改善しなければならない不便な要素らがあちこちに残っている。
【０００４】
通常の自転車は夜間運行に必要な別途の前照灯を具備して自転車ハンドルに装着しなければならない。既存の前照灯は自転車ハンドルにそれぞれの据え置き装置を手段として通常の懐中電灯を装着して使っているが、ハンドルバーの種類によって規格が相異で、大多数の高級型自転車らのハンドルは両側中央部位と外部位間の太さが異なるテーパー形状で形成されていることによって走行時に遊隙が発生するなどの脱去の問題点と前照灯の位置や方向が意図どおりに固定されない問題点があったし、多数個の自転車便宜装備らの付着にも限界があるので運転者の多様な便宜欲求を満足させることができないという問題点があった。
【０００５】
本発明と関連される先行特許で韓国特許登録第１０３２８８５号‘自転車照明装置'が提案されたことがある。
【０００６】
韓国特許登録第１０３２８８５号‘自転車照明装置'はＬＥＤモジュールで発光される光が複数の反射面を通じて特定角度でそれぞれ反射されるので、光の効率及び視野確保を向上させることを特徴とするが、夜間走行時に道を明るくする機能だけ有する問題点があった。
【０００７】
また、韓国特許登録第１０３２８８５号‘自転車照明装置'は自転車のハンドルバーにクリップ形態で固定具で固定されて高さ調節が不可能で照明位置が制限される問題点があった。
【発明の概要】
【発明が解決しようとする課題】
【０００８】
本発明が解決しようとする課題は、自転車のハンドルステムに選択的に装着されることができるし、高さ調節が可能な自転車一体型複合機能照明装置を提供することにある。
【０００９】
本発明が解決しようとする他の課題は、一部低価型生活自転車を除いた全世界すべての自転車に標準化されているアヘッドハンドルステムに既存規格の６mmレンチボルトを活用して簡単に装着される自転車一体型前照灯としての機能と、自転車道路での夜間行き違い時に相手の眩しさを防止する眩しさ防止傘は不透明エンボシングポリカーボネート素材であり、外側外壁にミラー反射フィルムの接合効果で照光の上部光遮光役割をすることと併せて反射光量を下向きに増大する効果を提供し、ポリカーボネート素材とミラー反射フィルムに染み出る白色の光源によって交差方向進行の自転車に力強い側面安全灯機能を提供し、光拡散レンズの適用で夜間走行時に運転者の安全視野確保に最適の光源を提供しながら空気抵抗減少の機能も一緒に提供することができる自転車一体型複合機能照明装置を提供することにある。
【００１０】
本発明が解決しようとするまた他の課題は、携帯電話を安定的に据え置きすることができるし、内蔵された充電池で据え置きされた携帯電話を充電することができる自転車一体型複合機能照明装置を提供することにある。
【００１１】
本発明が解決しようとするまた他の課題は、ジャイロセンサー体と連動されて走行時に周辺環境によってブレーキの作動とヘルメットを着用したまま少しの首を下げるか、またはかしげる時に警告音と警告灯が作動して運転者本人と周辺運転者らの安全運行をはかることができる自転車一体型複合機能照明装置を提供することにある。
【００１２】
本発明が解決しようとするまた他の課題は、ブルートゥーススピーカー本体を選択的に連動装着して使用することができるし、内蔵された充電池でブルートゥーススピーカー本体に電源を供給することができる自転車一体型複合機能照明装置を提供することにある。
【００１３】
本発明が解決しようとするまた他の課題は、自転車運行時にそれぞれの自転車用品規格とお互いに装着方式が相異なすべての自転車便宜用品らをチルト、ピボット、スイングが可能な多連装アーム部材を通じて一度に容易に装着が可能で、運行後に安全管理上の問題で便宜用品らをいちいち脱去しなければならない煩わしい問題を解決してノブ形態の取っ手ボルトを手で解くだけで簡便なスライディング方式で一度に脱去させてすべての便宜用品らを安全に保管することができるようにすることで、便宜用品らの盗難や破損問題を解消することができる自転車一体型複合機能照明装置を提供することにある。
【００１４】
本発明が解決しようとするまた他の課題は、ブルートゥーススピーカー本体と連動された一体型複合機能照明装置をキャンピングや野外活動時にテント、タープ、パラソル支持パイプまたは自動車などに簡単に設置することができる支持体を利用してブルートゥーススピーカー本体と連動された自転車一体型複合機能照明装置を多目的で活用できるようにする自転車一体型複合機能照明装置を提供することにある。
【課題を解決するための手段】
【００１５】
前記課題を解決するために本発明による自転車一体型複合機能照明装置の一実施例は、自転車の操向部に分離可能に装着される照明装置の昇下降支持部、照明装置の昇下降支持部に上、下移動可能に位置される昇下降移動胴体部、前記昇下降移動胴体部に位置されて光を照射するメイン照明灯部を含むことを特徴とする。
【００１６】
本発明で前記照明装置の昇下降支持部は、前記操向部のステムに分離可能に装着される自転車ハンドルステム装着部材と、前記自転車ハンドルステム装着部材に回転可能に位置されて立てられるか、または横たえられて前記昇下降移動胴体部が移動可能に結合されるフレーム部材とを含んで、前記自転車ハンドルステム装着部材には前記ステムに締結されるステム用装着ボルトが貫通されるメイン装着孔が位置され、前記メイン装着孔は前記ステム用装着ボルトと等しい直径を有して、カメラ三脚台のカメラ結合ボルトに締結されることができる雌ネジ山タッピングが形成されている締結孔で形成されることができる。
【００１７】
本発明で前記昇下降移動胴体部には前記メイン照明灯部に電源を供給する充電池が位置されることができる。
【００１８】
本発明で前記昇下降移動胴体部には前記操向部側に光を照射するハンドル照明灯部が具備されることができる。
【００１９】
本発明による自転車一体型複合機能照明装置の一実施例は、前記昇下降移動胴体部に分離可能に結合されるブルートゥーススピーカー本体をさらに含むことができる。
【００２０】
本発明で前記昇下降移動胴体部には前記メイン照明灯部に電源を供給する充電池が位置され、前記ブルートゥーススピーカー本体は前記昇下降移動胴体部に結合されて前記充電池と電気的に連結されて前記充電池から電源の供給を受けることができる。
【００２１】
本発明で前記ブルートゥーススピーカー本体には出力される音響に応じて発光される音響照明部が位置され、前記音響照明部は音響に応じてウェーブ形態で光を発光するスペクトラム照明であることができる。
【００２２】
本発明で前記昇下降移動胴体部の前面には前記照明装置の昇下降支持部が分離可能に結合される結合部が位置され、前記結合部には上、下方向に前記照明装置の昇下降支持部が移動可能に結合される昇下降移動路が位置され、前面に昇下降移動路に移動される前記照明装置の昇下降支持部の一部分を露出させる開放部が位置され、前記ブルートゥーススピーカー本体は前記開放部に挿入されて前記昇下降移動胴体部に結合されることができる。
【００２３】
本発明で前記開放部の内側面と前記ブルートゥーススピーカー本体の外側面とのうちの何れか一側にはブルートゥース結合用突起部が突き出されるように位置され、前記開放部の内側面と前記ブルートゥーススピーカー本体の外側面とのうちの他の一側には前記ブルートゥース結合用突起部が挿入されて係止されるブルートゥース結合用溝部が位置されることができる。
【００２４】
本発明による自転車一体型複合機能照明装置の一実施例は、前記昇下降移動胴体部に傾くように位置される締結孔に締結されて傾くように位置されながら前記開放部に結合された前記ブルートゥーススピーカー本体の外側面を加圧して前記ブルートゥーススピーカー本体の位置を固定するスピーカー固定ボルトをさらに含むことができる。
【００２５】
本発明で前記ブルートゥーススピーカー本体は、外側面にブルートゥース電源供給第１端子が位置され、前記開放部の内側面には前記ブルートゥース電源供給第１端子と接続されて前記昇下降移動胴体部に位置される充電池の電源を前記ブルートゥーススピーカー本体と連結するブルートゥース電源供給第２端子が位置されることができる。
【００２６】
本発明で前記ブルートゥーススピーカー本体には補助照明灯の電源供給端子が位置され、前記補助照明灯の電源供給端子は前記ブルートゥース電源供給第１端子を通じて前記充電池と連結され、補助照明灯制御リモコンの制御によって前記充電池から補助照明灯部に電源を選択的に供給することができる。
【００２７】
本発明による自転車一体型複合機能照明装置の一実施例は前記昇下降移動胴体部に位置される携帯電話据え置き部をさらに含んで、前記携帯電話据え置き部は携帯電話をかけて支持するように弾性を有する複数の紐部材を含むことができる。
【００２８】
本発明で前記携帯電話据え置き部は、一端が前記昇下降移動胴体部の上部側に連結され、他端が前記昇下降移動胴体部の一側に連結される第１弾性紐部材と、一端が前記昇下降移動胴体部の上部側に連結されて他端が前記昇下降移動胴体部の他側に連結される第２弾性紐部材と、一端が前記昇下降移動胴体部の下部側に連結され、他端が前記昇下降移動胴体部の一側に連結される第３弾性紐部材と、一端が前記昇下降移動胴体部の下部側に連結されて他端が前記昇下降移動胴体部の他側に連結される第４弾性紐部材と、前記第３弾性紐部材と第４弾性紐部材の一端部がそれぞれ連結されて前記昇下降移動胴体部に分離可能に結合される携帯電話据え置き用結合部材とを含むことができる。
【００２９】
本発明で前記昇下降移動胴体部の下部面には前記携帯電話据え置き用結合部材が挿入されて結合される携帯電話据え置きロッキング部材挿入溝が位置され、前記携帯電話据え置きロッキング部材挿入溝の内側面と前記携帯電話据え置き用結合部材の外側面とのうちの何れか一側には係止突起部が突き出されるように位置され、前記携帯電話据え置きロッキング部材挿入溝の内側面と前記携帯電話据え置き用結合部材の外側面とのうちの他の一側には前記係止突起部が挿入されて係止される係止溝部が位置されることができる。
【００３０】
本発明で前記携帯電話据え置き部は、前記昇下降移動胴体部の一側面に回転可能に位置されて前記第１弾性紐部材の他端及び前記第３弾性紐部材の他端がそれぞれ連結される第１携帯電話据え置き用回転アーム部材と、前記昇下降移動胴体部の他側面に回転可能に位置されて前記第２弾性紐部材の他端及び前記第４弾性紐部材の他端がそれぞれ連結される第２携帯電話据え置き用回転アーム部材とをさらに含むことができる。
【００３１】
本発明による自転車一体型複合機能照明装置の一実施例は、補助照明灯部または他のアクセサリ装備を装着することができるし、前記昇下降移動胴体部または前記ブルートゥーススピーカー本体に分離可能に結合されるアーム部をさらに含むことができる。
【００３２】
本発明で前記アーム部は前記昇下降移動胴体部または前記ブルートゥーススピーカー本体の側面に第１ヒンジ軸で回転可能に軸結合される第１アーム部材と、前記第１アーム部材に第１ヒンジ軸と異なる方向に位置される第２ヒンジ軸に回転可能に連結される第２アーム部材とを含んで、前記第２アーム部材は一側で前記第２アーム部材に結合されて補助照明灯部が結合されることができる補助照明灯部ホルダーの一側を支持するホルダーストッパー部が位置され、前記アーム部は第２アーム部材の他側に位置されて前記補助照明灯部ホルダーの他側を加圧して位置を固定させるホルダー加圧部材と、前記ホルダー加圧部材を貫通して前記第２アーム部材に締結されるホルダー固定用ボルト部材とをさらに含むことができる。
【００３３】
本発明で前記第１ヒンジ軸は、前記第１アーム部材の一側に突き出されて前記昇下降移動胴体部の側面または前記ブルートゥーススピーカー本体の側面に位置されたボルト締結部に締結されるヒンジ軸ボルトであり、前記第１アーム部材は内部にヒンジ軸ボルトが位置されて他側に開放されたボルト締結空間が位置され、前記ボルト締結空間は前記第２アーム部材を回転させて開放されることができる。
【００３４】
本発明による自転車一体型複合機能照明装置の一実施例は、内部に傾く角度を感知することができるジャイロセンサーを具備して自転車の運転者に着用されることができるジャイロセンサー体と、前記昇下降移動胴体部に位置されて前記ジャイロセンサー体と通信されて前記ジャイロセンサー体で感知された角度変化の伝達を受けて警告音を出力する警告音スピーカー部と、前記昇下降移動胴体部に位置されて前記ジャイロセンサー体と通信されて前記ジャイロセンサー体で感知された角度変化の伝達を受けて発光する非常ランプ部とをさらに含むことができる。
【００３５】
本発明で前記ジャイロセンサー体は、ハウジングの長さ方向の一側にかたよるようにジャイロセンサーが位置され、前記ハウジングの外側面にジャイロセンサーが位置された所を表示するセンサー水平位置表示溝部が位置されることができる。
【００３６】
本発明による自転車一体型複合機能照明装置の一実施例は、前記ジャイロセンサー体が回転及び分離可能に結合されて運転者の指に着用されるための弾性着用バンドが具備されるセンサー着用部材をさらに含んで、前記センサー着用部材は下部面に指に安着されることができるようにする円弧形状の指安着溝部が位置されることができる。
【００３７】
本発明による自転車一体型複合機能照明装置の一実施例は、前記ブルートゥーススピーカー本体をテントまたはタープの支持パイプに装着させるためのパイプ据え置き部をさらに含むことができる。
【００３８】
本発明で前記パイプ据え置き部は前記支持パイプの外側面中で一部分を囲む円弧形状のパイプ装着溝部が位置されて前記ブルートゥーススピーカー本体が分離可能に装着されるパイプ据え置き胴体部材と、前記パイプ据え置き胴体部材の一側面に突き出されて縦方向に離隔されるように位置する第１弾性紐係止部材と、前記パイプ据え置き胴体部材の他側面に突き出されて縦方向に離隔されるように位置する第２弾性紐係止部材と、前記第１弾性紐係止部材と前記第２弾性紐係止部材にかけられて前記支持パイプの外側面中で残り部分を囲んで前記パイプ据え置き胴体部材を前記支持パイプに固定させるパイプ固定紐部材とを含むことができる。
【００３９】
本発明による自転車一体型複合機能照明装置の一実施例は、前記ブルートゥーススピーカー本体を磁力で付着して使用するようにする畳み式非接触磁性据え置き台をさらに含むことができる。
【００４０】
本発明で前記畳み式非接触磁性据え置き台は前記ブルートゥーススピーカー本体に締結されるスピーカー装着ボルトが貫通されるボルト貫通孔が離隔されるように複数で位置されるベース部材と、前記ベース部材に回転可能に連結される第１回転部材と第２回転部材と、前記ベース部材、前記第１回転部材、及び前記第２回転部材にそれぞれ位置されて磁石を具備して磁力で付着することができる磁性付着部材と、前記磁性付着部材の下部面に突き出されるように位置されて前記磁性付着部材の下部面を付着面と離隔させる弾性材質の弾性支持リング部材とを含むことができる。
【００４１】
本発明で前記ブルートゥーススピーカー本体には前記補助照明灯制御リモコンからの送信信号を受信して前記補助照明灯部の作動を制御する無線制御受信窓が位置されることができる。
【発明の効果】
【００４２】
本発明は自転車のハンドルステムに選択的に装着されることができるし、照明灯部の昇下降高さを調節して運転者が願う位置に照明灯部を位置させることができて使用時満足度と安全性を共に向上させる効果がある。
【００４３】
本発明は自転車走行中に携帯電話を流動なしに安定的に据え置きすることができるし、内蔵された充電池で据え置きされた携帯電話を充電することができて携帯電話使用時便宜性と安全性を共に向上させる効果がある。
【００４４】
本発明はジャイロセンサー体と連動されて運転中にブレーキを作動するか、または運転者が頭を少し下げるか、またはかしげる時、非常灯または警告音を鳴らして走行中に安全性を大きく向上させる効果がある。
【００４５】
本発明はブルートゥーススピーカー本体を選択的に装着して使用することができるし、内蔵した充電池でブルートゥーススピーカー本体に電源を供給することができて、運転者の多様な欲求を満足させることができる効果がある。
【００４６】
本発明はブルートゥーススピーカー本体をキャンピングに使われるテントまたはタープの支持パイプまたは自動車などに簡単に設置することができるブルートゥーススピーカー支持体を利用してキャンピングなどの野外でブルートゥーススピーカー本体と連動された照明装置に補助照明灯を付け加えて多目的で活用することで、使用者の便宜性を極大化することができる効果がある。
【図面の簡単な説明】
【００４７】
【図１】図１は本発明による自転車一体型複合機能照明装置の一実施例を示した分解斜視図である。
【図２】図２は本発明による自転車一体型複合機能照明装置における昇下降移動胴体部の作動例を示した正面図である。
【図３】図３は本発明による自転車一体型複合機能照明装置における昇下降移動胴体部の底面斜視図である。
【図４】図４は本発明による自転車一体型複合機能照明装置における携帯電話据え置き部の一使用例を示した図面である。
【図５】図５は本発明による自転車一体型複合機能照明装置における携帯電話据え置き部の他の使用例を示した図面である。
【図６】図６は本発明による自転車一体型複合機能照明装置で昇下降移動胴体部にブルートゥーススピーカー本体を結合した例を示した斜視図である。
【図７】図７は本発明による自転車一体型複合機能照明装置におけるアーム部の一実施例を示した断面図である。
【図８】図８は本発明による自転車一体型複合機能照明装置におけるジャイロセンサー体の実施例を示した図面である。
【図９】図９は本発明による自転車一体型複合機能照明装置でブルートゥーススピーカー本体がキャンピングに使われるテントまたはタープの支持パイプに装着されて使われる例を示した図面である。
【図１０】図１０は本発明による自転車一体型複合機能照明装置でブルートゥーススピーカー本体が自動車に装着されて使われる例を示した図面である。
【発明を実施するための形態】
【００４８】
本発明を添付された図面を参照して詳しく説明すれば次のようである。ここで、繰り返される説明、本発明の要旨を不必要に曇らせることがある公知機能、及び構成に対する詳細な説明は略する。本発明の実施形態は当業界で平均的な知識を有した者に本発明をより完全に説明するために提供されるものである。
【００４９】
図１は、本発明による自転車一体型複合機能照明装置の一実施例を示した分解斜視図であり、図２は本発明による自転車一体型複合機能照明装置における昇下降移動胴体部２００の作動例を示した正面図であり、図３は本発明による自転車一体型複合機能照明装置における昇下降移動胴体部２００の底面斜視図である。
【００５０】
図１乃至図３を参考して本発明による自転車一体型複合機能照明装置の一実施例を下記で詳細に説明する。
【００５１】
本発明による自転車一体型複合機能照明装置は自転車の操向部１０に分離可能に装着される照明装置の昇下降支持部１００を含む。
【００５２】
照明装置の昇下降支持部１００には昇下降移動胴体部２００が移動可能に位置され、昇下降移動胴体部２００には自転車の走行方向に光を照射するメイン照明灯部３００が位置される。
【００５３】
昇下降移動胴体部２００の前面は自転車の走行方向またはメイン照明灯部３００の照明方向であることを一例として下記で説明することを明らかにしておく。
【００５４】
昇下降移動胴体部２００の上部にはメイン照明灯部３００が上、下回転可能に連結される照明装置ヒンジ部２００ａが位置されて光の照射方向を変更することができる。
【００５５】
照明装置ヒンジ部２００ａは、軸方向は昇下降移動胴体部２００の幅方向すなわち、自転車の走行方向と垂直である横方向に位置されてメイン照明灯部３００が上、下方向に回転されることができるようにする。
【００５６】
メイン照明灯部３００は照明装置ヒンジ部２００ａを中心に上、下方向に回転されて運転者が願う角度で調節されることで光の照射方向を変更することができる。
【００５７】
メイン照明灯部３００は上部側に眩しさ防止傘３１０が位置されることができるし、光が発生される光源の前面に空気抵抗減少光拡散レンズ３２０が位置されることができる。
【００５８】
メイン照明灯部３００は一般的にホワイトの光を発光するが、これに限定されないで多色で発光することができる。メイン照明灯部３００は昇下降移動胴体部２００内に位置される充電池(図示せず)から電力の供給を受けて発光することができる。
【００５９】
メイン照明灯部３００の光源としては、例えばＬＥＤ(Light Emitting Diode)が利用できる。
【００６０】
但し、本発明が必ずこれに限定されるものではなく、メイン照明灯部３００の光源は自体発光することもでき、自転車の自家発電を通じて電力の供給を受けることもできる。
【００６１】
眩しさ防止傘３１０はメイン照明灯部３００の上面部をアーチ状に覆っている形態であり、図１でメイン照明灯部３００のまわり半分程度を覆うことで図示されているが、必ずこれに限定されるものではない。
【００６２】
眩しさ防止傘３１０は不透明白色のエンボシングポリカーボネート素材が使われることができるし、外側外壁にはミラー反射フィルムが接合されてメイン照明灯部３００で発生された光の上部光遮光機能を遂行することと併せて反射光量を下向きで拡散増大させる効果を提供すると共にブルートゥーススピーカー本体４００に結合されるアーム部５００に装着される別途の便宜装備(アクセサリ装備ら)に対する可視性も提供する。
【００６３】
また、ポリカーボネート素材とミラー反射フィルムから滲み出る白色の光は交差方向に進行する自転車の運転者に認知させる力強い側面安全灯の機能を提供する。
【００６４】
メイン照明灯部３００の前面に位置する空気抵抗減少光拡散レンズ３２０は、メイン照明灯部３００から発生された光を拡散させることで、夜間走行時に自動車の前照灯のように照射光の偏りを防止して運転者の安全視野確保に最適の光を提供し、メイン照明灯部３００の上端に位置した眩しさ防止傘３１０の中央底面部にクリップ形態で結合されて側面から眺める時４５度程度の流線形で位置して空気抵抗を減少する効果を提供することができる。
【００６５】
照明装置の昇下降支持部１００は操向部１０に分離可能に装着される自転車ハンドルステム装着部材１１０と、自転車ハンドルステム装着部材１１０に回転可能に位置されて立てられるか、または横たえられて昇下降移動胴体部２００が移動可能に結合されるフレーム部材１２０とを含むことができる。
【００６６】
フレーム部材１２０は自転車ハンドルステム装着部材１１０にボルト構造を有するフレームヒンジ部１０１で連結されてフレームヒンジ部１０１を締結して回転されたフレーム部材１２０の位置を固定し、ボルト構造のフレームヒンジ部１０１を解いてフレーム部材１２０の回転角度を調節するように構成されることを一例とする。
【００６７】
フレームヒンジ部１０１は回転角度を調節してメイン照明灯部３００の光が照射される角度を調節することができる。
【００６８】
すなわち、メイン照明灯部３００はフレームヒンジ部１０１と照明装置ヒンジ部１０１で、光源から照射される光の角度をさらに多様な角度で調節することができる。
【００６９】
自転車ハンドルステム装着部材１１０は自転車のステム２０に分離可能に装着されることを一例とする。
【００７０】
フレーム部材１２０はフレームヒンジ部を中心に前、後方向に回転されることができる。フレーム部材１２０は未使用時すなわち、昇下降移動胴体部２００が分離した状態で横たえられて位置される。
【００７１】
そして、照明装置の昇下降支持部１００は自転車の操向部１０すなわち、ステム２０に装着された状態で維持されて昇下降移動胴体部２００が分離した状態では畳まれて保管されることができるし、昇下降移動胴体部２００を結合する場合に立てられて位置されることができる。
【００７２】
自転車のステム２０には標準規格のステム用装着ボルト２１が位置され、ステム用装着ボルト２１は６mmレンチボルトで自転車の標準規格である。
【００７３】
ステム用装着ボルト２１はワッシャー形態のキャップをとり除いて露出し、自転車ハンドルステム装着部材１１０にはステム用装着ボルト２１が貫通される６mm規格のメイン装着孔１１１が位置される。
【００７４】
この時、メイン装着孔１１１の直径(内径)はステム用装着ボルト２１の直径(雄ネジ山を基準とする外径)と等しいものが望ましい。
【００７５】
自転車ハンドルステム装着部材１１０はメイン装着孔１１１を貫通して自転車のステム２０に締結されるステム用装着ボルト２１の頭部が上面を加圧することで自転車のステム２０に装着されることができる。
【００７６】
メイン装着孔１１１はステム用装着ボルト２１が貫通されるが、カメラ三脚台のカメラ結合ボルトに締結されることができる１/４inch規格の雌ネジ山タッピングが形成された締結孔で形成されることを一例とする。
【００７７】
すなわち、照明装置の昇下降支持部１００にはステム用装着ボルト２１が貫通されるが、カメラ三脚台のカメラ結合ボルトに締結されることができるメイン装着孔１１１が位置されて自転車本体のステム２０にステム用装着ボルト２１で分離可能に装着されることができるし、カメラ三脚台のカメラ結合ボルトを通じてカメラ三脚台に装着されて据え置きされることができる。
【００７８】
カメラ三脚台のカメラ結合ボルトは標準化されたボルトでカメラの下面の位置に締結されることで、１/４inchの規格を有する。
【００７９】
すなわち、カメラ結合ボルトは６mmのステム用装着ボルト２１より少し大きい１/４inch(６．３５mm)の直径を有するので、カメラ結合ボルトに締結されるメイン装着孔１１１は１/４inch規格の雌ネジ山がタッピングされているが、内径は６mm直径を有するためステム用装着ボルト２１はメイン装着孔１１１を貫通して自転車のステム２０に締結されて装着されることができる。
【００８０】
したがって、本発明による自転車一体型複合機能照明装置は、カメラ用三脚台に装着させて使用が可能であるので、室内または野外特に、野外でカメラ用三脚台を据え置き台にして容易に使用することができるようになる。
【００８１】
一方、昇下降移動胴体部２００の前面には自転車ハンドルステム装着部材１１０が分離可能に結合される結合部２１０が位置され、結合部２１０には上、下方向に自転車ハンドルステム装着部材１１０が移動可能に結合される昇下降移動路が位置され、前面に昇下降移動路に移動される自転車ハンドルステム装着部材１１０の一部分を露出させる開放部２２０が位置される。
【００８２】
すなわち、昇下降移動路にはフレーム部材１２０が上、下移動可能に結合され、開放部２２０にフレーム部材１２０の一部が露出するように位置される。
【００８３】
開放部２２０はフレーム移動路を通じて移動されるフレーム部材１２０の一部分を露出させ、後述されるブルートゥーススピーカー本体４００が挿入されることができる大きさと形状で形成される。
【００８４】
そして、フレーム部材１２０には位置固定用セットスクリューが締結される脱去防止安全係止溝１２１が位置される。
【００８５】
フレーム部材１２０はフレーム移動路を通じて上、下移動され、一部分が開放部２２０を通じて開放されて脱去防止安全係止溝１２１が露出することができる。
【００８６】
昇下降移動胴体部２００はフレーム移動路を通じて結合されたフレーム部材１２０によって案内されて上、下移動され、開放部２２０を通じて露出する脱去防止安全係止溝１２１には、昇下降移動胴体部２００にブルートゥーススピーカー本体４００を密着させるノブ形態のスピーカー固定ボルト２４０を挿入して締めることで、昇下降移動胴体部２００を任意の昇下降位置に固定させることができるし、脱去防止安全係止溝１２１は昇下降移動胴体部２００の脱去を防止する二重の安全装置としての機能を有する。
【００８７】
また、昇下降移動胴体部２００にはメイン照明灯部３００に電源を供給する充電池が位置されることができるし、昇下降移動胴体部２００には充電池(図示せず)を充電することができる照明装置バッテリー充電端子２０１が位置されることができる。
【００８８】
充電池は高性能急速充電が可能な公知の充電池であり、低電圧過充電保護回路を具備することを一例とする。
【００８９】
また、昇下降移動胴体部２００には充電用ケーブルと連結されて内部の充電池を補助バッテリーで活用できるようにする携帯機器充電電源端子２０２が位置されることができるし、携帯機器充電電源端子２０２はＵＳＢ端子であることを一例とする。
【００９０】
充電池は携帯機器充電電源端子２０２に連結される充電ケーブルを通じて携帯電話などの携帯用電子機器と連結されて充電池で携帯電話などの携帯用電子機器を充電することができる。
【００９１】
メイン照明灯部３００は電線で充電池と連結されて充電池から電源の供給を受けてメイン照明灯部３００自体に具備されるスイッチによってオン／オフされることができる。
【００９２】
また、昇下降移動胴体部２００には自転車の操向部１０側に光を照射するハンドル照明灯部２３０が具備されることができる。
【００９３】
ハンドル照明灯部２３０は昇下降移動胴体部２００の前面に突き出された照明装着部の両側に位置された傾斜面にそれぞれ位置されることを一例とする。
【００９４】
ハンドル照明灯部２３０は自転車の操向部１０側に光を照射して自転車のハンドル側に装着される便宜装備すなわち、ハンドルに装着される携帯電話据え置き台などの別途の便宜装備を識別することができる。
【００９５】
昇下降移動胴体部２００にはメイン照明灯部３００をオンオフする第１オンオフスイッチと、ハンドル照明灯部２３０をオンオフする第２オンオフスイッチとが位置されることができるし、一つのオンオフスイッチでメイン照明灯部３００とハンドル照明灯部２３０を一緒にオンオフさせることもできる。
【００９６】
昇下降移動胴体部２００にはブルートゥーススピーカー本体４００が分離可能に結合されることができる。
【００９７】
ブルートゥーススピーカー本体４００は携帯電話などの携帯用電子機器とブルートゥース無線で連結されてスピーカーとして使われる。
【００９８】
ブルートゥーススピーカー本体４００は開放部２２０に分離可能に結合されることを一例とする。
【００９９】
ブルートゥーススピーカー本体４００は端部側一部分が開放部２２０の内部に挿入されて昇下降移動胴体部２００に結合される。
【０１００】
開放部２２０の内側面とブルートゥーススピーカー本体４００の外側面とのうちの何れか一側にはブルートゥース結合用突起部が突き出されるように位置され、開放部２２０の内側面とブルートゥーススピーカー本体４００の外側面とのうちの他の一側にはブルートゥース結合用突起部が挿入されて係止されるブルートゥース結合用溝部４０１が位置される。
【０１０１】
ブルートゥース結合用突起部は開放部２２０の内側面に位置されてブルートゥース結合用溝部４０１はブルートゥーススピーカー本体４００の外側面に位置されることを一例とする。
【０１０２】
また、ブルートゥーススピーカー本体４００は昇下降移動胴体部２００に締結されるスピーカー固定ボルト２４０で結合された状態をさらに堅固に固定させることができる。
【０１０３】
ブルートゥーススピーカー本体４００にはスピーカー固定ボルト２４０が締結されることができるブルートゥース結合用締結孔４００ａが位置されることができる。ブルートゥース結合用締結孔４００ａは図１０で確認されることができる。スピーカー固定ボルト２４０は昇下降移動胴体部２００内に傾くように形成される締結孔に傾くように挿入されながら開放部２２０に結合されたブルートゥーススピーカー本体４００の外側面に位置されたブルートゥース結合用締結孔４００ａに締結されてブルートゥーススピーカー本体４００の位置を堅固に固定することができる。
【０１０４】
スピーカー固定ボルト２４０は傾くように締結されながらブルートゥーススピーカー本体４００の位置を固定させながらブルートゥーススピーカー本体４００がフレーム部材１２０を加圧してフレーム部材１２０の位置すなわち、昇下降移動胴体部２００の高さをさらに堅固に固定させるようにできる。
【０１０５】
また、スピーカー固定ボルト２４０はブルートゥーススピーカー本体４００が分離した状態で昇下降移動胴体部２００に締結されてフレーム部材１２０を加圧することでフレーム部材１２０の位置すなわち、昇下降移動胴体部２００の高さを堅固に固定させるように使われることができる。
【０１０６】
ブルートゥーススピーカー本体４００は外側面にブルートゥース電源供給第１端子４０２が位置され、開放部２２０の内側面にはブルートゥース電源供給第１端子４０２と接続されて充電池をブルートゥーススピーカー本体４００と連結するブルートゥース電源供給第２端子２２２が位置される。
【０１０７】
ブルートゥース電源供給第１端子４０２はブルートゥーススピーカー本体４００が開放部２２０内に挿入されて結合されればブルートゥース電源供給第２端子２２２に接続されながら充電池を通じてブルートゥーススピーカー本体４００に電源が供給されることができるようにする。
【０１０８】
また、ブルートゥーススピーカー本体４００には補助照明灯電源供給端子の無線制御受信窓６３０が位置される。
【０１０９】
前記無線制御受信窓６３０は後述する補助照明灯制御リモコン６２０からの送信信号を受信して補助照明灯部６００の作動(オン／オフ、光量調節、ストロボオン／オフ)を制御する。
【０１１０】
ブルートゥーススピーカー本体４００は開放部２２０内に挿入されて結合されればブルートゥース電源供給第１端子４０２がブルートゥース電源供給第２端子２２２に接続されながら充電池から電源の供給を受けて作動することができる。
【０１１１】
ブルートゥーススピーカー本体４００には自転車に装着されて使われる補助照明灯部６００または他のアクセサリ装備を装着することができるアーム部５００が位置されることができる。
【０１１２】
アーム部５００はブルートゥーススピーカー本体４００の両側面にそれぞれ位置されることを一例とする。
【０１１３】
アーム部５００はブルートゥーススピーカー本体４００の側面に第１ヒンジ軸５１１に回転可能に軸結合されることを一例とする。
【０１１４】
また、アーム部５００はブルートゥーススピーカー本体４００の側面に第１ヒンジ軸５１１に回転可能に軸結合される第１アーム部材５１０と、第１アーム部材５１０に第１ヒンジ軸５１１と異なる方向に位置される第２ヒンジ軸５２１に回転可能に連結される第２アーム部材５２０とを含むことができる。
【０１１５】
第１ヒンジ軸５１１はブルートゥーススピーカー本体４００の側面に垂直方向すなわち、アーム部５００の長さ方向が軸方向であるヒンジ軸であり、第２ヒンジ軸５２１は第１ヒンジ軸５１１と垂直である方向に位置されるヒンジ軸であることを一例とする。
【０１１６】
第２アーム部材５２０には別途のアクセサリ装備または別途の補助照明灯部６００が結合されることができる補助照明灯部ホルダー６１０が結合されて使われることができる。
【０１１７】
補助照明灯部６００は第２アーム部材５２０に分離可能に結合されることができる補助照明灯部ホルダー６１０を一体で具備するか、または補助照明灯部ホルダー６１０を通じて第２アーム部材５２０に結合されて使われることができる。
【０１１８】
第２アーム部材５２０に結合されることができる装備として補助照明灯部６００は一例であり、以外にも携帯電話据え置き台、ブラックボックス、ＧＰＳ、時計、速度計、スピーカーなど公知の自転車用アクセサリ装備が第２アーム部材５２０に結合されることができる。
【０１１９】
また、補助照明灯部６００の作動を制御する補助照明灯制御リモコン６２０をさらに含むことができる。
【０１２０】
補助照明灯部６００はキャンピングまたはレジャーなどを目的とするランタンであることを一例として、補助照明灯制御リモコン６２０でオン／オフされることができるし、８段階で光量が調節されることができるし、ストロボ機能を有することを一例とする。
【０１２１】
補助照明灯制御リモコン６２０はオン／オフスイッチ、光量調節スイッチ、及びストロボオン／オフスイッチを含んで補助照明灯部６００の作動を制御することができる。
【０１２２】
また、ブルートゥーススピーカー本体４００には補助照明灯の電源供給端子４０４が位置され、補助照明灯の電源供給端子４０４はＤＣ電源ジャックであることを一例として、以外にも公知の電源用ジャックで多様に変形実施されることができることを明らかにしておく。
【０１２３】
補助照明灯の電源供給端子４０４はブルートゥース電源供給第１端子４０２を通じて充電池と連結され、充電池から補助照明灯部６００に電源を供給できるようにする。
【０１２４】
すなわち、補助照明灯部６００は補助照明灯の電源供給端子４０４に連結されることができる端子を具備した電源線を含んで補助照明灯の電源供給端子４０４に連結されて電源の供給を受けることができる。
【０１２５】
この時、補助照明灯制御リモコン６２０の制御(オン／オフスイッチ)によって充電池から補助照明灯部６００に選択的に電源供給がなされる。
【０１２６】
第２アーム部５２０にホルダー６１０で結合される補助照明灯部６００は補助照明灯の電源供給端子４０４に電気的に連結されることができる端子を含んだ電線を具備し、補助照明灯の電源供給端子４０４に連結されて充電池から電源の供給を受けることができる。
【０１２７】
アーム部５００は第１アーム部材５１０がブルートゥーススピーカー本体４００の側面に垂直で結合される第１ヒンジ軸５１１によって回転され、第２アーム部材５２０が第１アーム部材５１０と異なる方向に位置された第２ヒンジ軸５２１によって回転されて補助照明灯部６００またはアクセサリ装備が装着される第２アーム部材５２０の位置を使用時運転者の便宜に合うように調節して位置させることができる。
【０１２８】
ブルートゥーススピーカー本体４００の実施例は、下記でさらに詳細に説明することを明らかにしておく。
【０１２９】
一方、図３は本発明による自転車一体型複合機能照明装置における昇下降移動胴体部２００の底面斜視図であり、本発明による自転車一体型複合機能照明装置は昇下降移動胴体部２００に位置される携帯電話据え置き部７００をさらに含むことができる。
【０１３０】
携帯電話据え置き部７００は、携帯電話をかけて支持して弾性を有する複数の紐部材７１０、７２０、７３０、７４０を含む。
【０１３１】
さらに詳細には、携帯電話据え置き部７００は、一端が昇下降移動胴体部２００の上部側に連結され、他端が昇下降移動胴体部２００の一側に連結される第１弾性紐部材７１０と、一端が昇下降移動胴体部２００の上部側に連結されて他端が昇下降移動胴体部２００の他側に連結される第２弾性紐部材７２０と、一端が昇下降移動胴体部２００の下部側に連結され、他端が昇下降移動胴体部２００の一側に連結される第３弾性紐部材７３０と、一端が昇下降移動胴体部２００の下部側に連結されて他端が昇下降移動胴体部２００の他側に連結される第４弾性紐部材７４０とを含むことができる。
【０１３２】
紐部材、すなわち、第１弾性紐部材７１０、第２弾性紐部材７２０、第３弾性紐部材７３０、及び第４弾性紐部材７４０は弾性的に伸びるか、または縮むことができるし、携帯電話を安定的に据え置きすることができる剛性を有する弾性紐であることを一例とする。
【０１３３】
また、携帯電話据え置き部７００は第３弾性紐部材７３０と第４弾性紐部材７４０の一端部がそれぞれ連結されて昇下降移動胴体部２００に分離可能に結合される携帯電話据え置き用結合部材７５０をさらに含むことができる。
【０１３４】
昇下降移動胴体部２００の下部面には、携帯電話据え置き用結合部材７５０が挿入されて結合される携帯電話据え置きロッキング部材挿入溝２０３が位置される。
【０１３５】
携帯電話据え置きロッキング部材挿入溝２０３の内側面と携帯電話据え置き用結合部材７５０の外側面とのうちの何れか一側には係止突起部２０３ａが突き出されるように位置され、携帯電話据え置きロッキング部材挿入溝２０３の内側面と携帯電話据え置き用結合部材７５０の外側面とのうちの他の一側には係止突起部２０３ａが挿入されて係止される係止溝部７５１が位置される。
【０１３６】
係止突起部２０３ａは携帯電話据え置きロッキング部材挿入溝２０３の内側面に位置されて係止溝部７５１はブルートゥーススピーカー本体４００の外側面に位置されることを一例とする。
【０１３７】
携帯電話据え置き用結合部材７５０が携帯電話据え置きロッキング部材挿入溝２０３に挿入されれば、係止突起部２０３ａは係止溝部内に挿入されながら携帯電話据え置き用結合部材７５０の位置を固定させるようになる。
【０１３８】
昇下降移動胴体部２００の下部面には、携帯電話据え置きロッキング部材挿入溝２０３と、充電池を充電することができる照明装置バッテリー充電端子２０１と、充電用ケーブルと連結されて内部の充電池を補助バッテリーで活用するようにする携帯機器充電電源端子２０２とが位置されることを一例とする。
【０１３９】
また、携帯電話据え置き部７００は、昇下降移動胴体部２００の一側面に回転可能に位置されて第１弾性紐部材７１０の他端及び第３弾性紐部材７３０の他端がそれぞれ連結される第１携帯電話据え置き用回転アーム部材７６０と、昇下降移動胴体部２００の他側面に回転可能に位置されて第２弾性紐部材７２０の他端及び第４弾性紐部材７４０の他端がそれぞれ連結される第２携帯電話据え置き用回転アーム部材７７０とをさらに含むことができる。
【０１４０】
第１携帯電話据え置き用回転アーム部材７６０と第２携帯電話据え置き用回転アーム部材７７０は広げられて携帯電話を横で据え置きさせることができるようにする。
【０１４１】
図４は、本発明による自転車一体型複合機能照明装置における携帯電話据え置き部７００の一使用例を示した図面であり、第１弾性紐部材７１０、第２弾性紐部材７２０、第３弾性紐部材７３０、及び第４弾性紐部材７４０を利用して携帯電話を縦に据え置きした例を示したものである。
【０１４２】
図４を参考すれば、携帯電話を昇下降移動胴体部２００の後面に縦で位置した状態で第１弾性紐部材７１０及び第２弾性紐部材７２０で携帯電話の上部側両側角部にそれぞれかけるようになって、携帯電話据え置き用結合部材７５０を携帯電話据え置きロッキング部材挿入溝２０３に挿入させて結合することで第３弾性紐部材７３０及び第４弾性紐部材７４０が携帯電話の下部側両側角部をそれぞれかけるようになることで携帯電話を安定的に据え置きさせることができる。
【０１４３】
図５は、本発明による自転車一体型複合機能照明装置における携帯電話据え置き部７００の他の使用例を示した図面であり、第１携帯電話据え置き用回転アーム部材７６０と第２携帯電話据え置き用回転アーム部材７７０を広げて携帯電話を横で据え置きさせた例を示したものである。
【０１４４】
図５を参考すれば、第１携帯電話据え置き用回転アーム部材７６０と第２携帯電話据え置き用回転アーム部材７７０を広げて携帯電話を昇下降移動胴体部２００の後面に横で位置した状態で第１弾性紐部材７１０及び第２弾性紐部材７２０で携帯電話の上部側両側角部にそれぞれかけるようになって、携帯電話据え置き用結合部材７５０を携帯電話据え置きロッキング部材挿入溝２０３に挿入させて結合することで第３弾性紐部材７３０及び第４弾性紐部材７４０が携帯電話の下部側両側角部をそれぞれかけるようになることで携帯電話を安定的に据え置きさせることができる。
【０１４５】
従来の携帯電話据え置き台は、２個の噛み合い口の間で携帯電話を加圧して固定される方式であり、自転車の走行中に路面の状態によって発生される振動が自転車ハンドルに共鳴振動で深化されて２個の噛み合い口の位置を固定する微細ギアの歯が解けて携帯電話が脱去される危険がある。
【０１４６】
本発明による自転車一体型複合機能照明装置で携帯電話据え置き部７００は、弾性紐である複数の紐部材すなわち、第１弾性紐部材７１０乃至第４弾性紐部材７４０で携帯電話の４箇所の角部をかけて携帯電話を昇下降移動胴体部２００の後面に密着させて固定する方式で自転車の走行中に発生するどのような振動にも携帯電話が脱去されないで安定的に据え置きさせることができるようにする。
【０１４７】
図６は、本発明による自転車一体型複合機能照明装置で昇下降移動胴体部２００にブルートゥーススピーカー本体４００を結合した例を示した斜視図であり、図７は本発明による自転車一体型複合機能照明装置におけるアーム部の一実施例を示した断面図である。
【０１４８】
図６及び図７を参考すれば、本発明による自転車一体型複合機能照明装置は補助照明灯部６００または他のアクセサリ装備を装着することができるし、昇下降移動胴体部２００に分離可能に結合されるアーム部５００をさらに含むことができる。
【０１４９】
ブルートゥーススピーカー本体４００には出力される音響に応じて発光される音響照明部４０３が位置されることができる。
【０１５０】
音響照明部４０３は音響に応じてすなわち、音の高低によってウェーブ形態で光を発光するスペクトラム照明であることを一例とする。
【０１５１】
音響照明部４０３はブルートゥーススピーカー本体４００の前面に位置されて派手なウェーブ形態で光を発光して装飾美を向上させることができる。
【０１５２】
アーム部５００は昇下降移動胴体部２００、またはブルートゥーススピーカー本体４００に結合されて使われることができる。
【０１５３】
昇下降移動胴体部２００の側面、及びブルートゥーススピーカー本体４００の側面にはアーム部５００が分離可能に結合されることができるアーム結合部５００ａが位置されることができる。
【０１５４】
アーム結合部５００ａはアーム部５００のヒンジ軸ボルト５１１ａが締結されるボルト締結部であることを一例として、アーム部５００は第１アーム部材５１０の一側に突き出される第１ヒンジ軸５１１であるヒンジ軸ボルト５１１ａでボルト締結部に締結されて昇下降移動胴体部２００の側面またはブルートゥーススピーカー本体４００の側面に回転可能に位置される。
【０１５５】
第２アーム部材５２０には、一側で第２アーム部材５２０に結合されて補助照明灯部６００が結合されることができる補助照明灯部ホルダー６１０の一側を支持するホルダーストッパー部５２２が位置され、アーム部は、第２アーム部材５２０の他側に位置されて補助照明灯部ホルダー６１０の他側を加圧して補助照明灯部ホルダー６１０の位置を固定させるホルダー加圧部材５３０と、ホルダー加圧部材５３０を貫通して第２アーム部材５２０に締結されるホルダー固定用ボルト部材５４０とをさらに含むことができる。
【０１５６】
ホルダー加圧部材５３０は、ホルダー固定用ボルト部材５４０が第２アーム部材５２０に締結されることで、補助照明灯部６００が結合されることができる補助照明灯部ホルダー６１０をホルダーストッパー部５２２側に押して加圧することで補助照明灯部ホルダー６１０の位置を堅固に固定することができる。
【０１５７】
第１アーム部材５１０は内部にヒンジ軸ボルト５１１ａが位置されて他側に開放されたボルト締結空間が位置される。
【０１５８】
この時、ヒンジ軸ボルト５１１ａの外周面に形成されている雄ネジ山とアーム結合部５００ａの内周面に形成されている雌ネジ山の間にはマイナス公差を有するように形成されることで、第１アーム部材５１０の一側がヒンジ軸ボルト５１１ａで昇下降移動胴体部２００の側面またはブルートゥーススピーカー本体４００の側面に結合されても、ヒンジ軸ボルト５１１ａとアーム結合部５００ａとの間の雄ネジ山／雌ネジ山のマイナス公差によるきつい結合によって、第１アーム部材５１０が結合された状態で昇下降移動胴体部２００の側面またはブルートゥーススピーカー本体４００の側面に対して回転されてもヒンジ軸ボルト５１１ａとアーム結合部５００ａとの間の結合が解けることが防止される。
【０１５９】
図７の（ｂ）を参考すれば、ボルト締結空間は第２アーム部材５２０を回転させて開放されることができるし、第２アーム部材５２０を回転させてボルト締結空間の他側を開放した状態でヒンジ軸ボルト５１１ａをドライバーなどの工具をボルト締結空間内に挿入してヒンジ軸ボルト５１１ａを解くか、または締結することができる。
【０１６０】
アーム部５００はブルートゥーススピーカー本体４００だけでなく、昇下降移動胴体部２００に結合されて別途の補助照明灯部６００またはアクセサリ装備を追加で装着して使用するようにする。
【０１６１】
また、アーム部５００は、第１アーム部材５１０が昇下降移動胴体部２００の側面またはブルートゥーススピーカー本体４００の側面に垂直で結合される第１ヒンジ軸５１１すなわち、ヒンジ軸ボルト５１１ａによって回転され、第２アーム部材５２０が第１アーム部材５１０と異なる方向に位置された第２ヒンジ軸５２１によって回転されてアクセサリ装備が装着される第２アーム部材５２０の位置を使用時運転者の便宜に合うように調節して位置させることができる。
【０１６２】
従来にはこのようなアクセサリ装備を使用するにおいて、自転車のハンドルに設置するしかなく、ハンドルを操作するのに容易でないだけでなく、限定された空間のため願うアクセサリ装備をすべて設置し難いし、美観的にも優れないという問題点があった。
【０１６３】
これに本発明の一実施例に関する自転車一体型複合機能照明装置は、別途のアクセサリ装備を設置することができるアーム部５００を具備して自転車の走行に必要な多様なアクセサリ装備らを装着することができるようにすることで、ハンドルの操作を容易にすると共にハンドル部分の空間的制約を脱して多様なアクセサリ装備らを装着することができるし、付随的な装置らが１ヶ所に集まって設置されるため美観的でも優秀で使用時便宜性も向上する。また、アーム部５００が付着された状態の昇下降移動胴体部２００またはブルートゥーススピーカー本体４００を一度に脱去することで、既存自転車運行後に安全管理上の問題で便宜用品(アクセサリー装備ら)をいちいち脱去しなければならない煩わしさを解消することができる。
【０１６４】
図８は、本発明による自転車一体型複合機能照明装置におけるジャイロセンサー体８００の実施例を示した図面であり、図８の（ａ）はジャイロセンサー体８００が運転者が着用するヘルメット８０１に装着される例を示したものであり、図８の（ｂ）はジャイロセンサー体８００が運転者の指に着用されて使われる例を示したものである。
【０１６５】
本発明による自転車一体型複合機能照明装置は、内部に傾く角度を感知することができるジャイロセンサーを具備して自転車の運転者に着用されることができるジャイロセンサー体８００をさらに含むことができる。
【０１６６】
この時、本発明による自転車一体型複合機能照明装置は、ジャイロセンサー体８００から送信された感知信号に応じる受信部が内蔵されているし、受信された感知信号は警告音スピーカー部２５０と非常ランプ部２６０を通じて非常灯と警告音を作動させる。
【０１６７】
図１を参考すれば、昇下降移動胴体部２００にはジャイロセンサー体８００と通信されてジャイロセンサー体８００で感知された角度変化の伝達を受けて警告音を出力する警告音スピーカー部２５０と光を発光する非常ランプ部２６０が具備されることができる。
【０１６８】
非常ランプ部２６０は昇下降移動胴体部２００の後面と両側面にそれぞれ位置されることができる。
【０１６９】
すなわち、昇下降移動胴体部２００の後面に携帯電話が携帯電話据え置き部７００を通じて据え置きされても昇下降移動胴体部２００の両側に位置された非常ランプ部２６０の発光によって運転者が非常状態を確認することができるようになる。
【０１７０】
ジャイロセンサー体８００は既設定された角度範囲以上に傾くことが発生すればこれを感知して非常ランプ部２６０と警告音スピーカー部２５０を作動させることで光を発光して警告音を発生させる。
【０１７１】
図８の（ａ）を参考すれば、ジャイロセンサー体８００は運転者が着用するヘルメット８０１に位置される溝部に挿入されて装着されることができる。
【０１７２】
ジャイロセンサー体８００はハウジングの長さ方向の一側にかたよるようにジャイロセンサーが位置され、ハウジングの外側面にジャイロセンサーが位置された所を表示するセンサー水平位置表示溝部８００ａが位置される。
【０１７３】
運転者センサー水平位置表示溝部８００ａがヘルメット８０１の前側を向くようにヘルメット８０１の溝部に挿入されて装着され、ジャイロセンサー体８００はセンサー水平位置表示溝部８００ａが位置されたハウジングの先端部が前側に傾く時に非常ランプ部２６０と警告音スピーカー部２５０が作動するようになる。
【０１７４】
すなわち、ジャイロセンサー体８００は運転者が自転車に乗って走行中に外部衝撃によって運転者の姿勢が搖れるか、または運転者が正面を見つめないで他の方向に視線を向ける時に発生される傾くことを感知して非常ランプ部２６０と警告音スピーカー部２５０を作動させて運転者に警告することで運転者が運転姿勢を正姿勢で維持しながら走行を安全に持続することができるようにする。
【０１７５】
また、図８の（ｂ）を参考すれば、本発明による自転車一体型複合機能照明装置は、ジャイロセンサー体８００が回転及び分離可能に結合され、運転者の指に着用されるための弾性着用バンド８２０が具備されるセンサー着用部材８１０をさらに含むことができる。
【０１７６】
センサー着用部材８１０はジャイロセンサー体８００が安着されるセンサー安着部８１１と、センサー安着部８１１の両端部側に立てられてジャイロセンサー体８００の両端部側に結合されるセンサー結合部８１２とを含むことができる。
【０１７７】
センサー結合部８１２の内側面にはセンサー結合突起部８１２ａが位置され、ジャイロセンサー体８００の両端部にはそれぞれセンサー結合突起部８１２ａが挟まれて結合されるセンサー挟み溝部８００ｂが位置されることができる。
【０１７８】
センサー挟み溝部８００ｂは下部が開放された差し込み溝形態で形成され、ジャイロセンサー体８００はセンサー結合部８１２の間で上部から下部側に押されてセンサー結合突起部８１２ａがセンサー挟み溝部８００ｂに挟まれることでセンサー着用部材８１０にセンサー結合部８１２を軸に回転可能になるように結合されることができる。
【０１７９】
センサー着用部材８１０は下部面に指に安着されることができるようにする円弧形状の指安着溝部８１０ａが位置される。
【０１８０】
また、センサー着用部材８１０は円弧形状の指安着溝部８１０ａが指に安着された状態で弾性着用バンド８２０で指を囲んで着用されることができる。
【０１８１】
この時ジャイロセンサー体８００は、センサー着用部材８１０に結合された状態で横方向に位置されてジャイロセンサーが一側（図８の（ｂ）と同じ方向に着用する場合に、センサー水平位置表示溝部８００ａを基準で右側）にかたよって位置されるようになる。
【０１８２】
ジャイロセンサー体８００におけるジャイロセンサーの位置は、センサー水平位置表示溝部８００ａで表示されるので、運転者が確認することができることを明らかにしておく。
【０１８３】
これにジャイロセンサー体８００は、指に着用されて使用者がハンドルを取って指を曲げた時、ジャイロセンサーが一側（図８の（ｂ）と同じ方向で着用する場合に、センサー水平位置表示溝部８００ａを基準で右側）にかたよって位置されて地面と水平の状態で維持され、この時ジャイロセンサー体８００が異なる一側（図８の（ｂ）と同じ方向に着用する場合に、センサー水平位置表示溝部８００ａを基準で左側）に傾く時非常ランプ部２６０と警告音スピーカー部２５０が作動するようになる。
【０１８４】
すなわち、指に着用されたジャイロセンサー体８００は運転者がブレーキを操作する時に発生される傾くことを感知して非常ランプ部２６０と警告音スピーカー部２５０を作動させて警告音を発生させることで、周辺の通行人と自転車運転者らに対する安全性を向上させるようにする。
【０１８５】
図９は、本発明による自転車一体型複合機能照明装置でブルートゥーススピーカー本体４００がキャンピングに使われるテントまたはタープの支持パイプ９００ａに装着されて使われる例を示した図面である。
【０１８６】
図９を参考すれば、本発明による自転車一体型複合機能照明装置は、ブルートゥーススピーカー本体４００をテントまたはタープの支持パイプ９００ａに装着させるためのパイプ据え置き部９００をさらに含むことができる。
【０１８７】
パイプ据え置き部９００は、支持パイプ９００ａの外側面のうちの一部分を囲む円弧形状のパイプ装着溝部９１１ａが位置されてブルートゥーススピーカー本体４００が分離可能に装着されるパイプ据え置き胴体部材９１０と、パイプ据え置き胴体部材９１０の一側面に突き出されて縦方向に離隔されるように位置する第１弾性紐係止部材９２０と、パイプ据え置き胴体部材９１０の他側面に突き出されて縦方向に離隔されるように位置する第２弾性紐係止部材９３０と、第１弾性紐係止部材９２０と第２弾性紐係止部材９３０にかけられて支持パイプ９００ａの外側面中で残り部分を囲んでパイプ据え置き胴体部材９１０を支持パイプ９００ａに固定させるパイプ固定紐部材９４０とを含むことができる。
【０１８８】
また、パイプ据え置き部９００は、第１弾性紐係止部材９２０と第２弾性紐係止部材９３０にそれぞれ回転可能に位置され、パイプ固定紐部材９４０の少なくとも一部分が挿入されて係止される紐挿入溝が具備された紐係止回転ローラー部材９２１をさらに含むことができる。
【０１８９】
紐係止回転ローラー部材９２１は第１弾性紐係止部材９２０が貫通されて結合され、第２弾性紐係止部材９３０が貫通されて結合される構造で、第１弾性紐係止部材９２０と第２弾性紐係止部材９３０を中心にそれぞれ自由回転されてパイプ固定紐部材９４０の第１弾性紐係止部材９２０と第２弾性紐係止部材９３０に対する係止環境によってテンションを均一に維持できるようにする。
【０１９０】
紐係止回転ローラー部材９２１の紐挿入溝は、Ｖ型またはＵ型溝であることを一例として、パイプ固定紐部材９４０の少なくとも一部分が挿入されて係止されることができる形態で多様に変形されて実施されることができることを明らかにしておく。
【０１９１】
パイプ固定紐部材９４０は、弾性的に伸縮されることができるし、パイプ据え置き胴体部材９１０を支持パイプ９００ａに密着させて固定することができる剛性を有する弾性紐であることを一例とする。
【０１９２】
そして、パイプ据え置き胴体部材９１０は、支持パイプ９００ａの外側面のうちの一部分を囲む円弧形状のパイプ装着溝部９１１ａが位置されるパイプ装着部９１１と、パイプ装着部９１１から垂直に突き出されてブルートゥーススピーカー本体４００が装着されるスピーカー支持部９１２とを含むことができる。
【０１９３】
パイプ据え置き胴体部材９１０は多様な支持パイプ９００ａの直径に対応するパイプ装着溝部９１１ａを有する多様な形態で製作されて該当支持パイプ９００ａに合う形態を有することで選択されて使われることができる。
【０１９４】
スピーカー支持部９１２にはスピーカー装着ボルト１０００が貫通されるボルト貫通孔が位置され、ブルートゥーススピーカーにはスピーカー装着ボルト１０００が締結されるスピーカー装着用締結部が位置されることができる。
【０１９５】
スピーカー装着ボルト１０００の頭部は、ボルトを易しく締結して解くことができるように外側面に複数の溝が位置されたボルトハンドル部が位置されることができる。
【０１９６】
パイプ据え置き胴体部材９１０はパイプ装着溝部９１１ａを通じて支持パイプ９００ａに密着された状態でパイプ固定紐部材９４０を第１弾性紐係止部材９２０の紐係止回転ローラー部材９２１と第２弾性紐係止部材９３０の紐係止回転ローラー部材９２１に交互に掛けることで支持パイプ９００ａに装着されることができる。
【０１９７】
そして、ブルートゥーススピーカー本体４００は、支持パイプ９００ａに装着されたパイプ据え置き胴体部材９１０にスピーカー装着ボルト１０００で締結されて据え置きされることができる。
【０１９８】
すなわち、ブルートゥーススピーカー本体４００はキャンピングに使われるテントまたはタープの支持パイプ９００ａにパイプ据え置き部９００を通じて装着されることで野外で簡便に据え置きされて使われることができる。
【０１９９】
図１０は、本発明による自転車一体型複合機能照明装置でブルートゥーススピーカー本体４００を自動車に装着して使用できるようにする畳み式非接触磁性据え置き台１１００の一例を示した底面斜視図である。
【０２００】
図１０を参考すれば、本発明による自転車一体型複合機能照明装置はブルートゥーススピーカー本体４００を磁力で付着して使用できるようにする畳み式非接触磁性据え置き台１１００をさらに含むことができる。
【０２０１】
畳み式非接触磁性据え置き台１１００は、スピーカー装着ボルト１０００が貫通されるボルト貫通孔が離隔されるように複数で位置されるベース部材１１１０と、ベース部材１１１０に回転可能に連結される第１回転部材１１２０と第２回転部材１１３０と、ベース部材１１１０、第１回転部材１１２０、及び第２回転部材１１３０にそれぞれ位置されて磁石を具備して磁力で付着することができる磁性付着部材１１４０とを含むことができる。
【０２０２】
第１回転部材１１２０と第２回転部材１１３０は、不使用時にベース部材１１１０に重なって位置されて保管され、使用時に回転されて開かれながら磁石付着部材の磁力で付着可能な位置すなわち、自動車のボンネットまたは自動車のルーフに付着することができる。
【０２０３】
畳み式非接触磁性据え置き台１１００は磁性付着部材１１４０の下部面に位置されて磁性付着部材１１４０の下部面を付着面と離隔させる弾性材質の弾性支持リング部材１１５０をさらに含むことができる。
【０２０４】
弾性材質の弾性支持リング部材１１５０は磁性付着部材１１４０の下部面を磁力で付着可能な位置すなわち、自動車のボンネットまたは自動車のルーフと離隔させて自動車のボンネットまたは自動車のルーフにスクラッチなどの損傷が発生されることを防止すると共にスライドを防止する役割をする。
【０２０５】
畳み式非接触磁性据え置き台１１００は第１回転部材１１２０及び第２回転部材１１３０を広げてベース部材１１１０、第１回転部材１１２０、及び第２回転部材１１３０にそれぞれ位置された磁性付着部材１１４０を磁力で付着可能な位置すなわち、自動車のボンネットまたは自動車のルーフに付着することができる。
【０２０６】
ブルートゥーススピーカー本体４００はベース部材１１１０の複数のボルト貫通孔の中で何れか一孔を通過したスピーカー装着ボルト１０００で締結されてベース部材上に位置されて据え置きされることができる。
【０２０７】
すなわち、ブルートゥーススピーカー本体４００は磁力で畳み式非接触磁性据え置き台１１００を自動車のボンネットまたはルーフに付着させた後、畳み式非接触磁性据え置き台１１００にスピーカー装着ボルト１０００で締結されて据え置きされることで野外で簡便に据え置きされて使われることができる。
【０２０８】
本発明は、自転車のハンドルステムに選択的に装着されることができるし、照明灯部の高さを調節して運転者が願う位置に照明灯部を位置させることができて使用時満足度と安全性を共に向上させる。
【０２０９】
本発明は、自転車走行中で携帯電話を流動なしに安定的に据え置きすることができるし、内蔵された充電池で据え置きされた携帯電話を充電することができて携帯電話使用時便宜性と安全性を共に向上させる。
【０２１０】
本発明は、ジャイロセンサー体８００と連動されて運転中で運転者の姿勢が不安定であるか、またはブレーキを作動する場合光または音でお知らせして走行中に安全性を大きく向上させる。
【０２１１】
本発明は、ブルートゥーススピーカー本体４００を選択的に装着して使用することができるし、内蔵した充電池でブルートゥーススピーカー本体４００に電源を供給することができて運転者の多様な欲求を満足させることができる。
【０２１２】
本発明は、ブルートゥーススピーカー本体４００をキャンピングに使われるテントまたはタープの支持パイプ９００ａまたは自動車などに簡単に設置することができるスピーカー支持体を提供してキャンピングなどの野外でブルートゥーススピーカー本体４００の使用性と使用時便宜性を向上させる。
【０２１３】
以上のように図面と明細書で最適の実施例が開示された。ここで、特定の用語らが使われたが、これは単に本発明を説明するための目的で使われたことであって、意味限定や請求範囲に記載した本発明の範囲を制限するために使われたものではない。それで、本技術分野の通常の知識を有した者なら今後多様な変形及び均等な他の実施例が可能であるという点を理解するであろう。よって、本発明の真正な技術的保護範囲は添付された請求範囲の技術的思想によって決まらなければならないであろう。
【図１】
2021523856.tif 000003
【図２】
2021523856.tif 000004
【図３】
2021523856.tif 000005
【図４】
2021523856.tif 000006
【図５（ａ）】
2021523856.tif 000007
【図５（ｂ）】
2021523856.tif 000008
【図６】
2021523856.tif 000009
【図７（ａ）】
2021523856.tif 000010
【図７（ｂ）】
2021523856.tif 000011
【図８（ａ）】
2021523856.tif 000012
【図８（ｂ）】
2021523856.tif 000013
【図９】
2021523856.tif 000014
【図１０】
2021523856.tif 000015
【国際調査報告】
2021523856.tif 000016
2021523856.tif 000017
2021523856.tif 000018
2021523856.tif 000019
2021523856.tif 000020
2021523856.tif 000021